(57)【要約】【課題】ＧＰＳ用アンテナ装置及びＧＰＳ回路を用いずに、受信地域が変わっても特定の番組を出力し続けること。【解決手段】受信装置１００は、指定されたデジタル放送の物理チャンネル信号を受信し情報源を復号し、さらに受信中のデジタル放送の受信状況を生成する。また、受信装置１００は、所定の物理チャンネル信号を受信し情報源を復号し、さらに現在受信中の物理チャンネル信号の受信状況を生成する。受信装置１００は、受信したデジタル放送の物理チャンネル信号に多重されるチャンネル配置を表す第１の配置情報を記憶し、さらに全国のチャンネル配置を表す第２の配置情報を予め記憶する。受信装置１００は、上記２種類の受信状況と、第１及び第２の配置情報から、現在のサービスエリアに対する移動方向を推定して、次のデジタル放送の物理チャンネル信号及び論理チャンネル信号を決定する。【選択図】図１
2008005231.tif 000002
【特許請求の範囲】
【請求項１】
指定されたデジタル放送の物理チャンネル信号を受信し情報源を復号するとともに、現在受信中のデジタル放送の受信状況を示す第１の受信状況を出力する主受信系統と、
所定の物理チャンネル信号を受信し情報源を復号するとともに、現在受信中の物理チャンネル信号の受信状況を示す第２の受信状況を出力する副受信系統と、
前記主受信系統で受信されるデジタル放送の物理チャンネル信号に多重されるチャンネル配置を表す第１の配置情報を記憶し、さらに全国のチャンネル配置を表す第２の配置情報を予め記憶するチャンネル配置記憶手段と、
前記主受信系統からの第１の受信状況と、前記副受信系統からの第２の受信状況と、前記チャンネル配置記憶手段に記憶された前記第１及び第２の配置情報とに基づいて、現在受信中のデジタル放送のサービスエリアに対する移動方向を推定し、前記推定結果に基づいて次のデジタル放送の物理チャンネル信号及び論理チャンネル信号を決定する制御手段と、を具備する受信装置。
【請求項２】
前記副受信系統は、
アナログ放送信号から所定のアナログ放送物理チャンネル信号を選局するアナログ放送用選局手段と、
前記アナログ放送用選局手段から出力される前記アナログ放送物理チャンネル信号を復調するとともに、前記アナログ放送用選局手段から出力される受信信号の受信状況を示す第２の受信情報を出力するアナログ放送用復調手段とを含む、請求項１に記載の受信装置。
【請求項３】
前記副受信系統は、
デジタル放送信号から所定のデジタル放送物理チャンネル信号を選局するデジタル放送用選局手段と、
前記デジタル放送用選局手段から出力される前記デジタル放送物理チャンネル信号を復調するとともに、前記デジタル放送用選局手段から出力される受信信号の受信状況を示す第２の受信情報を出力するデジタル放送用復調手段とを含む、請求項１に記載の受信装置。
【請求項４】
前記副受信系統は、
デジタル放送信号から所定のデジタル放送物理チャンネル信号を選局するデジタル放送用選局手段と、
前記デジタル放送用選局手段から出力される前記デジタル放送物理チャンネル信号を復調するデジタル放送用復調手段と、
前記デジタル放送用復調手段の復調結果から、前記デジタル放送論理チャンネル信号と前記第２の配置情報とを分離すると共に前記デジタル放送論理チャンネル信号から、現在受信しているデジタル放送信号を送信している地区の両隣の地区のデジタル放送のチャンネル配置情報を第３の受信状況として分離する多重分離手段とを含む、請求項１に記載の受信装置。
【請求項５】
前記副受信系統は、
無線信号から、所定の物理チャンネル信号を選局する無線通信用選局手段と、
前記無線通信用選局手段から出力される前記物理チャンネル信号を復調するとともに、前記無線通信用選局手段から出力される受信信号の受信状況を示す第４の受信状況を出力する無線通信用復調手段とを含む、請求項１に記載の受信装置。
【請求項６】
前記主受信系統は、
指定されたデジタル放送のデジタル放送物理チャンネル信号を選局するデジタル放送用選局手段と、
前記デジタル放送用選局手段から出力されるデジタル放送物理チャンネル信号を復調するデジタル放送用復調手段とを含み、
前記受信装置は、前記主受信系統のデジタル放送用復調手段の復調結果と、前記副受信系統のデジタル放送用復調手段の復調結果とをダイバーシチ処理するダイバーシチ手段を具備する請求項３記載の受信装置。
【発明の詳細な説明】
【技術分野】
【０００１】
本発明は、受信装置に関し、特に、自動車や電車などの移動体において、少なくともデジタル放送を受信する受信装置に関する。
【背景技術】
【０００２】
デジタル放送でのテレビ放送又はラジオ放送は、各地に配置された多数の放送局によって放送を行っている。これらの地域的放送局が放送する番組又は送信する信号の周波数配置は、それぞれ異なっている。
【０００３】
従って、デジタル放送の受信装置は、自動車等の移動体に搭載されて移動しながら放送を受信している場合、受信可能な放送は次々に変化する。
【０００４】
このため、この種の受信装置は、ある特定の番組を再生していても、サービスエリア（放送エリア）が変わればその番組は受信不可能となる。
【０００５】
このような問題を解消する受信装置として、従来、デジタル放送及びアナログ放送を受信し、特に、デジタル放送用やアナログ放送用の２系統の受信部と、カーナビゲーション装置とを備えたもの（以下、従来の受信装置という）が知られている（例えば、特許文献１参照）。
【０００６】
従来の受信装置は、アナログ系とデジタル系の２系統の受信系統と、ＧＰＳ用アンテナ装置と、ＧＰＳ受信回路とを備え、デジタル受信系統で受信し抽出したチャンネル配置情報と、ＧＰＳの位置情報とに基づき、次選局候補物理チャンネルを推定し、現在受信中の物理チャンネルの受信状況と推定した次選局候補物理チャンネルの受信状況との評価などにより、受信する物理チャンネルを切り換えるかどうかを決定する。
【特許文献１】特開２００１−１６９１９５号公報
【発明の開示】
【発明が解決しようとする課題】
【０００７】
しかしながら、従来の受信装置は、位置情報を入手するためにＧＰＳ用アンテナ装置及びＧＰＳ回路が必要であるため、受信機の価格が高価になる。
【０００８】
また、従来の受信装置では、デジタル放送の受信系統又はアナログ放送の受信系統で使用する信号がＧＰＳ回路に干渉を与えたり、ＧＰＳ回路で使用する信号がデジタル放送の受信系統又はアナログ放送の受信系統に干渉を与えたりすることで、それぞれの受信性能が劣化してしまう。
【０００９】
本発明は、かかる点に鑑みてなされたもので、ＧＰＳ用アンテナ装置及びＧＰＳ回路を用いずに、受信地域が変わっても特定の番組を出力し続けることが可能な受信装置を提供することを目的とする。
【課題を解決するための手段】
【００１０】
かかる課題を解決するため、本発明の受信装置は、指定されたデジタル放送の物理チャンネル信号を受信し情報源を復号するとともに、現在受信中のデジタル放送の受信状況を示す第１の受信状況を出力する主受信系統と、所定の物理チャンネル信号を受信し情報源を復号するとともに、現在受信中の物理チャンネル信号の受信状況を示す第２の受信状況を出力する副受信系統と、主受信系統で受信されるデジタル放送の物理チャンネル信号に多重されるチャンネル配置を表す第１の配置情報を記憶し、さらに全国のチャンネル配置を表す第２の配置情報を予め記憶するチャンネル配置記憶手段と、前記主受信系統からの第１の受信状況と、前記副受信系統からの第２の受信状況と、前記チャンネル配置記憶手段に記憶された前記第１及び第２の配置情報とに基づいて、現在受信中のデジタル放送のサービスエリアに対する移動方向を推定し、前記推定結果に基づいて次のデジタル放送の物理チャンネル信号及び論理チャンネル信号を決定する制御手段と、を具備する構成を採る。
【発明の効果】
【００１１】
本発明によれば、ＧＰＳ用アンテナ装置及びＧＰＳ回路を用いずに位置情報を入手することができるので、安価でかつ干渉による受信性能の劣化のない受信装置を提供することができる。
【発明を実施するための最良の形態】
【００１２】
以下、本発明の実施の形態について、図面を参照して詳細に説明する。なお、各図において同一の構成または機能を有する構成要素及び相当部分には、同一の符号を付してその説明は繰り返さない。
【００１３】
（実施の形態１）
図１は、本発明の実施の形態１に係る受信装置の構成を示すブロック図である。
【００１４】
図１に示すように、本例の受信装置１００は、主受信系統であるデジタル放送受信部１００Ａとして、デジタル放送用選局回路１０１、デジタル放送用復調回路１０２、多重分離回路１０３、情報源復号回路１０４を備えている。
【００１５】
また、本例の受信装置１００は、副受信系統の第１例としてのアナログ放送受信部１００Ｂを備える。アナログ放送受信部１００Ｂは、アナログ放送用選局回路１０５、アナログ放送用復調回路１０６を含む。
【００１６】
さらに、本例の受信装置１００は、受信状況判定回路１０７、チャンネル配置記憶回路１０８、制御回路１０９を備えている。
【００１７】
図１において、デジタル放送受信部１００Ａでは、アンテナ１１０で受信した放送信号から、例えばユーザにより指定された物理チャンネル信号をデジタル放送用選局回路１０１で選局する。
【００１８】
デジタル放送用復調回路１０２は、デジタル放送用選局回路１０１から出力されるデジタル放送物理チャンネル信号から多重データ信号を復調して出力する。そして、デジタル放送用復調回路１０２は、デジタル放送用選局回路１０１から出力される受信信号の信号強度又は受信品質等、受信状況を示す情報（以下、第１の受信状況という）を出力する。
【００１９】
多重分離回路１０３は、多重データ信号から論理チャンネル信号と、チャンネル配置を示す配置情報とを分離する。
【００２０】
情報源復号回路１０４は、多重分離回路１０３で分離された論理チャンネル信号から、この論理チャンネルに含まれた映像信号、音声信号及びデータ信号を復号する。
【００２１】
また、アナログ放送受信部１００Ｂでは、アンテナ１１１で受信した放送信号から、現在受信している放送信号を送信している地区の両隣の地区のアナログ放送の物理チャンネル信号をアナログ放送用選局回路１０５が選局する。
【００２２】
アナログ放送用復調回路１０６は、アナログ放送用選局回路１０５から出力されるアナログ放送物理チャンネル信号から、このアナログ放送物理チャンネルに含まれた映像信号、音声信号及びデータ信号を復調する。そして、アナログ放送用復調回路１０６は、アナログ放送用選局回路１０５から出力される受信信号の信号強度又は受信品質等の受信状況を示す情報（以下、第２の受信状況という）を出力する。
【００２３】
受信状況判定回路１０７は、デジタル放送用復調回路１０２からの第１の受信状況によりデジタル放送の受信状況が良いか悪いかを判定し、受信している位置が送信アンテナから遠く、受信サービスエリアの端であるか否か判定をする。
【００２４】
チャンネル配置記憶回路１０８は、チャンネル配置情報を記憶する。
【００２５】
制御回路１０９は、デジタル放送用の選局とアナログ放送用の選局を制御する。
【００２６】
これにより、制御回路１０９は、デジタル放送信号を受信している位置が放送局の送信アンテナから遠く受信サービスエリアの端であるか否かを判断する。
【００２７】
ここで、受信装置１００がデジタル放送信号を受信している位置の判断は、ＡＧＣ（Ａｕｔｏｍａｔｉｃ  Ｇａｉｎ  Ｃｏｎｔｒｏｌ）回路の検出信号や受信レベル情報から受信したデジタル放送信号の信号強度が所定の閾値より大きいか小さいかで判断したり、復調時に算出されるＣＮ値や誤り率が所定の閾値より大きいか小さいかで判断したりする。
【００２８】
アナログ放送用復調回路１０６の出力信号である第２の受信状況は、受信したアナログ放送信号の信号強度又は受信品質からアナログ放送用選局回路１０５で選局した放送チャンネルが存在しているか、または、信号強度又は受信品質の時間変化をみることで受信位置がどちらの方向に動いているかを判断するためのものである。
【００２９】
チャンネル配置記憶回路１０８は、全国のチャンネル配置情報を予め記憶している。そして、チャンネル配置記憶回路１０８は、多重分離回路１０３から出力されるチャンネル配置情報により現在受信している受信エリアを判定し、現在受信しているエリアと、その周辺のエリアのチャンネル配置情報を出力する。
【００３０】
制御回路１０９は、受信状況判定回路１０７の出力信号である受信している位置が送信アンテナから遠く受信サービスエリアの端であるかの判断結果を受け取る。
【００３１】
また、制御回路１０９は、アナログ放送用復調回路１０６の出力信号である受信信号の信号強度又は受信品質等の受信状況からアナログ放送用選局回路１０５で選局した放送チャンネルが存在しているかを判断する第２の受信状況を受け取る。
【００３２】
さらに、制御回路１０９は、チャンネル配置記憶回路１０８からの現在受信しているエリアとその周辺のエリアのチャンネル配置情報を受け取る。
【００３３】
そして、制御回路１０９は、受け取った各情報に基づいて、次に選局すべきデジタル放送物理チャンネル信号及び論理チャンネル信号を推定して、デジタル放送用選局回路１０１を制御する。
【００３４】
ここで、図２、図３、図４、図５を用いて、制御回路１０９において、次に選局すべきデジタル放送物理チャンネル信号及び論理チャンネル信号と、次に選局すべきアナログ放送物理チャンネル信号を推定する方法について説明する。
【００３５】
アナログ放送用復調回路１０６の出力信号である第２の受信状況を用いることにより、Ａ地区のデジタル放送を受信している受信装置１００が、Ｂ地区かＣ地区のどちらの方向に動いているかを判断するには、図２のように、破線で示すアナログ放送サービスエリアＡＳ（ＡＳ−Ｂ又はＡＳ−Ｃ）が実線で示すデジタル放送サービスエリアＤＳ（ＤＳ−Ｂ又はＤＳ−Ｃ）より大きい場合と、図３のように、アナログ放送のサービスエリアＡＳがデジタル放送サービスエリアＤＳより小さい場合について検討する必要がある。
【００３６】
まず、図２において、受信装置１００が、Ａ地区のデジタル放送サービスエリアＤＳ−Ａから、Ｂ地区のデジタル放送サービスエリアＤＳ−Ｂ、またはＣ地区のデジタル放送サービスエリアＤＳ−Ｃのどちらに移動しているかを判定する場合について説明する。
【００３７】
この場合には、図４に示すチャンネル配置情報に記載されているように、Ｂ地区のアナログ放送のチャンネル１やチャンネル２をアナログ放送用選局回路１０５で選局したときの受信信号のＡＧＣ回路検出信号、受信レベル情報、復調時に算出されるＣＮ値や誤り状況から、Ｂ地区のアナログ放送の受信エリアかどうかを判断する。
【００３８】
また、この場合には、図４のチャンネル配置情報に記載されているように、Ｃ地区のアナログ放送のチャンネルαやチャンネルβをアナログ放送用選局回路１０５で選局したときの受信信号のＡＧＣ回路検出信号、受信レベル情報、復調時に算出されるＣＮ値や誤り状況から、Ｃ地区のアナログ放送の受信エリアかどうかを判断する。
【００３９】
そして、これらの判断に基づいて、受信装置１００が、Ｂ地区のデジタル放送サービスエリアＤＳ−Ｂに移動しているか、Ｃ地区のデジタル放送サービスエリアＤＳ−Ｃに移動しているかの判定を行う。
【００４０】
ここで、受信装置１００が、図２の点線の矢印のようにＢ地区に移動する場合では、Ｂ地区のアナログ放送のチャンネル１やチャンネル２を相対的に良好に受信することができるのに対し、Ｃ地区のアナログ放送のチャンネルαやチャンネルβを良い状況で受信することができない。
【００４１】
以上のように、本例の受信装置１００は、現在受信している地区の両隣の地区のアナログ放送を受信することで、どちらの地区の方向に動いているか判断でき、制御回路１０９での次に選局すべきデジタル放送物理チャンネル信号及び論理チャンネル信号を推定することができる。
【００４２】
次に、図３において、受信装置１００が、Ａ地区のデジタル放送サービスエリアＤＳ−ＡからＢ地区のデジタル放送サービスエリアＤＳ−ＢまたはＣ地区のデジタル放送サービスエリアＤＳ−Ｃのどちらに移動しているかを判定する場合について説明する。
【００４３】
この場合には、図４のチャンネル配置情報に記載されているように、Ｂ地区のアナログ放送のチャンネル１やチャンネル２と、Ｄ地区のアナログ放送のチャンネルａやチャンネルｂを、アナログ放送用選局回路１０５で選局したときの受信信号のＡＧＣ回路検出信号、受信レベル情報、復調時に算出されるＣＮ値や誤り状況から、Ｂ地区のデジタル放送の受信エリアかどうかを判断する。
【００４４】
また、この場合には、図４のチャンネル配置情報に記載されているように、Ｃ地区のアナログ放送のチャンネルαやチャンネルβと、Ｅ地区のアナログ放送のチャンネル△やチャンネル□を、アナログ放送用選局回路１０５で選局したときの受信信号のＡＧＣ回路検出信号、受信レベル情報、復調時に算出されるＣＮ値や誤り状況から、Ｃ地区のデジタル放送の受信エリアかどうかを判断することで、受信装置１００の移動方向の判定を行う。
【００４５】
ここで、受信装置１００が、図３の点線の矢印のように、Ｂ地区に移動する場合では、図５に示すように、Ａ地区のデジタル放送については、直線Ｌで示すように移動距離に対して信レベルは下がっていき、Ｂ地区のアナログ放送のチャンネル１とチャンネル２については、直線Ｌａで示すように移動距離に対して受信レベルは増加していき、Ｄ地区のアナログ放送のチャンネルａとチャンネルｂについては、直線Ｌｂで示すように増減し、Ｃ地区のアナログ放送のチャンネルαとチャンネルβについては、直線Ｌｃのように緩やかに減少し、Ｅ地区のアナログ放送のチャンネル△とチャンネル□については、直線Ｌｅのように緩やかに受信レベルが減少する。
【００４６】
つまり、Ｂ地区のアナログ放送のチャンネル１やチャンネル２については、受信装置１００が近づくように移動するので、受信レベルは上がる。
【００４７】
また、Ｄ地区のアナログ放送のチャンネルａやチャンネルｂについては、受信装置１００が一度中心に近づいてから離れるように移動するので、受信レベルは上がってから下がる。
【００４８】
さらに、Ｃ地区のアナログ放送のチャンネルαやチャンネルβ、Ｅ地区のアナログ放送のチャンネル△やチャンネル□については、受信装置１００が離れるように移動するので、受信レベルは下がる。
【００４９】
また、受信レベルの大きさについては、Ｂ地区やＤ地区が大きく、Ｃ地区やＥ地区が小さい。
【００５０】
従って、本例の受信装置１００は、Ｂ地区のアナログ放送の受信レベル（Ｐｂ）、Ｃ地区のアナログ放送の受信レベル（Ｐｃ）、Ｄ地区のアナログ放送の受信レベル（Ｐｄ）、Ｅ地区のアナログ放送の受信レベル（Ｐｅ）を測定し、（Ｐｂ＋Ｐｄ）と（Ｐｃ＋Ｐｅ）の大きさを比較すれば、Ｂ地区のデジタル放送サービスエリアＤＳ−Ｂ、Ｃ地区のデジタル放送サービスエリアＤＳ−Ｃのいずれに移動しているのかを判断できる。
【００５１】
そして、受信装置１００は、上述の判断結果に基づいて、制御回路１０９での次に選局すべきデジタル放送物理チャンネル信号及び論理チャンネル信号を推定することができる。
【００５２】
上述の制御方法を図６のフローチャートに示す。
【００５３】
図６において、制御動作が開始されると、まず、Ａ地区のデジタル放送のＡＧＣ回路検出信号を測定し、その測定値が所定の閾値以下か否か判定する（ステップＳＴ６０１）。
【００５４】
そして、Ａ地区のデジタル放送のＡＧＣ回路検出信号の測定値が所定の閾値以下の場合には、Ｂ地区のアナログ放送の受信レベル（Ｐｂ）を測定する（ステップＳＴ６０２）。
【００５５】
次いで、Ｃ地区のアナログ放送の受信レベル（Ｐｃ）を測定する（ステップＳＴ６０３）。
【００５６】
次いで、Ｄ地区のアナログ放送の受信レベル（Ｐｄ）を測定する（ステップＳＴ６０４）。
【００５７】
次いで、Ｅ地区のアナログ放送の受信レベル（Ｐｅ）を測定する（ステップＳＴ６０５）。
【００５８】
そして、（Ｐｂ＋Ｐｄ）と（Ｐｃ＋Ｐｅ）の大きさを比較する（ステップＳＴ６０６）。
【００５９】
ステップＳＴ６０６において、（Ｐｂ＋Ｐｄ）−（Ｐｃ＋Ｐｅ）≧０であれば、受信装置１００がＢ地区のデジタル放送サービスエリアＤＳ−Ｂに移動していると判断する（ステップＳＴ６０７）。
【００６０】
また、ステップＳＴ６０６において、（Ｐｂ＋Ｐｄ）−（Ｐｃ＋Ｐｅ）≧０でなければ、受信装置１００がＣ地区のデジタル放送サービスエリアＤＳ−Ｃに移動していると判断する（ステップＳＴ６０８）。
【００６１】
このように、本例の受信装置１００においては、各地区のアナログ放送の受信レベルの大きさを比較することで、どの方向のデジタル放送サービスエリアに移動しているのかを判断できる。
【００６２】
なお、上述の制御方法においては、アナログ放送の受信状況を判断するのに、ＡＧＣ回路検出信号、受信レベル情報、復調時に算出されるＣＮ値や誤り状況を想定しているが、アナログ放送信号の同期信号や副搬送波等のロック検出信号などを用いても良い。
【００６３】
また、チャンネル配置記憶回路１０８は、図４のようなチャンネル配置情報を予め記憶しておくことを想定しているが、デジタル放送波やアナログ放送波からチャンネル配置情報を入手して記憶するようにしても良い。
【００６４】
また、デジタル放送受信時に、アナログ放送受信部１００Ｂを用いて受信位置がどちらの方向に動いているかを判断することを想定しているが、アナログ放送受信時に、デジタル放送受信部１００Ａを用いて受信装置１００の受信位置がどちらの方向に動いているかを判断するような構成でも良い。
【００６５】
このように、本例の受信装置１００においては、アナログ放送受信部１００Ｂを用いることにより、アナログ放送用復調回路１０６での復調結果である第２の受信状況から、受信位置がどちらの方向に動いているか判断できる。
【００６６】
そして、本例の受信装置１００においては、次に選局すべきデジタル放送のチャンネルを推定することできる。
【００６７】
従って、本例の受信装置１００においては、自動車等の移動体に搭載されて移動しながら受信し、受信すべき信号の送信局が切り換わったときにも、ＧＰＳ受信機およびそれ用のアンテナを必要とすることなく、継続的に同一の放送番組を再生することができる。
【００６８】
（実施の形態２）
次に、本発明の実施の形態２に係る受信装置について説明する。図７は、本発明の実施の形態２に係る受信装置の構成を示すブロック図である。
【００６９】
図７に示すように、本例の受信装置２００は、主受信系統である第１のデジタル放送受信部２００Ａとして、第１のデジタル放送用選局回路２０１、第１のデジタル放送用復調回路２０２、多重分離回路１０３、情報源復号回路１０４を備えている。
【００７０】
また、本例の受信装置２００は、副受信系統の第２例である第２のデジタル放送受信部２００Ｂとして、第２のデジタル放送用選局回路２０３、第２のデジタル放送用復調回路２０４を備えている。
【００７１】
さらに、本例の受信装置２００は、第１のデジタル放送用復調回路２０２からの第１の受信状況により第１のデジタル放送の受信状況を判定する受信状況判定回路１０７、チャンネル配置情報を記憶するチャンネル配置記憶回路１０８、第１のデジタル放送用の選局と第２のデジタル放送用の選局を行う制御回路１０９を備えている。
【００７２】
図７において、第１のデジタル放送受信部２００Ａでは、アンテナ１１２で受信した放送信号から、例えばユーザにより指定された物理チャンネル信号を第１のデジタル放送用選局回路２０１が選局する。
【００７３】
第１のデジタル放送用復調回路２０２は、第１のデジタル放送用選局回路２０１から出力されるデジタル放送物理チャンネル信号から多重データ信号を復調して出力する。そして、第１のデジタル放送用復調回路２０２は、第１のデジタル放送用選局回路２０１から出力される受信信号の信号強度や受信品質等の受信状況を示す第１の受信状況を出力する。
【００７４】
多重分離回路１０３は、多重データ信号から論理チャンネル信号と配置情報信号とを分離する。
【００７５】
情報源復号回路１０４は、多重分離回路１０３で分離された論理チャンネル信号から、この論理チャンネルに含まれた映像信号、音声信号及びデータ信号を復号する。
【００７６】
第２のデジタル放送受信部２００Ｂでは、アンテナ１１３で受信した放送信号から現在受信している放送信号を送信している地区の両隣の地区のデジタル放送の物理チャンネル信号を第２のデジタル放送用選局回路２０３が選局する。
【００７７】
第２のデジタル放送用復調回路２０４は、第２のデジタル放送用選局回路２０３から出力されるデジタル放送物理チャンネル信号から、このデジタル放送物理チャンネルに含まれた映像信号、音声信号及びデータ信号を復調する。そして、第２のデジタル放送用復調回路２０４は、第２のデジタル放送用選局回路２０３から出力される受信信号の信号強度又は受信品質等の受信状況を示す第２の受信状況を出力する。
【００７８】
受信状況判定回路１０７は、受信した第１のデジタル放送信号の信号強度や受信品質等の受信状況を示す第１の受信状況により、第１のデジタル放送の受信状況が良いか悪いかを判定し、受信している位置が送信アンテナから遠く、受信サービスエリアの端であるか否か判定をする。
【００７９】
これにより、制御回路１０９は、第１のデジタル放送信号を受信している位置が放送局の送信アンテナから遠く受信サービスエリアの端であるかを判断する。
【００８０】
ここで、受信装置２００が第１のデジタル放送信号を受信している位置の判断は、ＡＧＣ回路の検出信号や受信レベル情報から受信したデジタル放送信号の信号強度が所定の閾値より大きいか小さいかで判断したり、復調時に算出されるＣＮ値や誤り率が所定の閾値より大きいか小さいかで判断したりする。
【００８１】
第２のデジタル放送用復調回路２０４の出力信号である第２の受信状況は、受信した第２のデジタル放送信号の信号強度又は受信品質から、第２のデジタル放送用選局回路２０３で選局した放送チャンネルが存在しているかをみることで、受信位置がどちらの方向に動いているかを判断するためのものである。
【００８２】
チャンネル配置記憶回路１０８は、図４に示したようなチャンネル配置情報を予め記憶しており、多重分離回路１０３から出力されるチャンネル配置情報により現在受信している受信エリアを判定し、現在受信しているエリアとその周辺のエリアのチャンネル配置情報を出力する。
【００８３】
制御回路１０９は、受信状況判定回路１０７の出力信号である受信している位置が送信アンテナから遠く受信サービスエリアの端であるかの判断結果を受け取る。
【００８４】
また、制御回路１０９は、第２のデジタル放送用復調回路２０４の出力信号である受信信号の信号強度や受信品質等の受信状況から第２のデジタル放送用選局回路２０３で選局した放送チャンネルが存在しているかをみることで受信位置がどちらの方向に動いているかを判断する第２の受信状況を受け取る。
【００８５】
さらに、制御回路１０９は、チャンネル配置記憶回路１０８からの現在受信しているエリアとその周辺のエリアのチャンネル配置情報を受け取る。
【００８６】
そして、制御回路１０９は、受け取った各情報に基づいて、次に選局すべき第１のデジタル放送物理チャンネル信号及び論理チャンネル信号を推定して、第１のデジタル放送用選局回路２０１を制御する。
【００８７】
ここで、制御回路１０９での次に選局すべき第１のデジタル放送物理チャンネル信号及び論理チャンネル信号を推定する方法については、前述した実施の形態１に係る受信装置１００におけるアナログ放送受信部１００Ｂが、本例の受信装置２００における第２のデジタル放送受信部２００Ｂに置き換わったものなので、その説明を省略する。
【００８８】
なお、本例の受信装置２００では、第２のデジタル放送の受信状況を判断するのにＡＧＣ回路検出信号、受信レベル情報、復調時に算出されるＣＮ値や誤り状況を想定しているが、デジタル放送信号の同期信号やクロック再生や搬送波再生のロック状態などを用いても良い。
【００８９】
また、チャンネル配置記憶回路１０８は、図４のようなチャンネル配置情報を予め記憶しておくことを想定しているが、第１のデジタル放送波や第２のデジタル放送波からチャンネル配置情報を入手して記憶することでも良い。
【００９０】
このように、本例の受信装置２００によれば、第２のデジタル放送受信部を用いることにより、第２のデジタル放送用復調回路２０４での復調結果からなる第２の受信状況から、受信位置がどちらの方向に動いているかを判断できる。
【００９１】
そして、本例の受信装置２００においては、次に選局すべき第１のデジタル放送のチャンネルを推定することできる。
【００９２】
従って、本例の受信装置２００においては、アナログ放送波が停波したときにも、デジタル放送波を用いることで、自動車等の移動体に搭載されて移動しながら受信し、受信すべき信号の送信局が切り換わったときにも、継続的に放送を視聴することができる。
【００９３】
（実施の形態３）
次に、本発明の実施の形態３に係る受信装置について説明する。図８は、本発明の実施の形態３に係る受信装置の構成を示すブロック図である。
【００９４】
図８に示すように、本例の受信装置３００は、主受信系統である第１のデジタル放送受信部３００Ａとして、第１のデジタル放送用選局回路２０１、第１のデジタル放送用復調回路２０２、第１の多重分離回路３０１、情報源復号回路１０４を備えている。
【００９５】
また、副受信系統の第３例である第２のデジタル放送受信部３００Ｂとして、第２のデジタル放送用選局回路２０３、第２のデジタル放送用復調回路２０４、第２の多重分離回路３０２を備えている。
【００９６】
さらに、第１のデジタル放送用復調回路２０２からの第１の受信状況により第１のデジタル放送の受信状況を判定する受信状況判定回路１０７、チャンネル配置情報を記憶するチャンネル配置記憶回路１０８、第１のデジタル放送用の選局と第２のデジタル放送用の選局を行う制御回路１０９を備えている。
【００９７】
図８において、第１のデジタル放送受信部では、アンテナ１１２で受信した放送信号から、例えばユーザにより指定された物理チャンネル信号を第１のデジタル放送用選局回路２０１で選局する。
【００９８】
第１のデジタル放送用復調回路２０２は、第１のデジタル放送用選局回路２０１から出力されるデジタル放送物理チャンネル信号から多重データ信号を復調して出力する。そして、第１のデジタル放送用復調回路２０２は、第１のデジタル放送用選局回路２０１から出力される受信信号の信号強度や受信品質等の受信状況を示す第１の受信状況を出力する。
【００９９】
第１の多重分離回路３０１は、多重データ信号から論理チャンネル信号と配置情報信号とを分離する。
【０１００】
情報源復号回路１０４は、第１の多重分離回路３０１で分離された論理チャンネル信号から、この論理チャンネルに含まれた映像信号、音声信号及びデータ信号を復号する。
【０１０１】
第２のデジタル放送受信部３００Ｂでは、アンテナ１１３で受信した放送信号から現在受信している放送信号を送信している地区の両隣の地区のデジタル放送の物理チャンネル信号を第２のデジタル放送用選局回路２０３が選局する。
【０１０２】
第２のデジタル放送用復調回路２０４は、第２のデジタル放送用選局回路２０３から出力されるデジタル放送物理チャンネル信号から、このデジタル放送物理チャンネルに含まれた映像信号、音声信号及びデータ信号を復調する。
【０１０３】
第２の多重分離回路３０２は、多重データ信号から論理チャンネル信号と配置情報信号とを分離し、現在受信しているデジタル放送信号を送信している地区の両隣の地区のデジタル放送である第２のデジタル放送のチャンネル配置情報を第３の受信状況として出力する。
【０１０４】
受信状況判定回路１０７は、受信した第１のデジタル放送信号の信号強度や受信品質等の受信状況を示す第１の受信状況により、第１のデジタル放送の受信状況が良いか悪いかを判定し、受信している位置が送信アンテナから遠く、受信サービスエリアの端であるか否か判定をする。
【０１０５】
これにより、受信装置３００は、第１のデジタル放送信号を受信している位置が放送局の送信アンテナから遠く受信サービスエリアの端であるかを判断する。
【０１０６】
ここで、受信装置３００が第１のデジタル放送信号を受信している位置の判断は、ＡＧＣ回路の検出信号や受信レベル情報から受信したデジタル放送信号の信号強度が所定の閾値より大きいか小さいかで判断したり、復調時に算出されるＣＮ値や誤り率が所定の閾値より大きいか小さいかで判断したりする。
【０１０７】
これにより、受信装置３００は、受信位置がどちらの方向に動いているかを判断する。
【０１０８】
チャンネル配置記憶回路１０８は、チャンネル配置情報を予め記憶しており、第１の多重分離回路３０１から出力されるチャンネル配置情報により現在受信している受信エリアを判定し、現在受信しているエリアとその周辺のエリアのチャンネル配置情報を出力する。
【０１０９】
制御回路１０９は、受信状況判定回路１０７の出力信号である受信している位置が送信アンテナから遠く受信サービスエリアの端であるかの判断結果を受け取る。
【０１１０】
また、制御装置１０９は、第２の多重分離回路３０２の出力信号である第２のデジタル放送のチャンネル配置情報である第３の受信状況を受け取る。
【０１１１】
さらに、制御装置１０９は、チャンネル配置記憶回路１０８からの現在受信しているエリアとその周辺のエリアのチャンネル配置情報を受け取る。
【０１１２】
そして、制御回路１０９は、受け取った各情報に基づいて、次に選局すべき第１のデジタル放送物理チャンネル信号及び論理チャンネル信号を推定して、第１のデジタル放送用選局回路２０１を制御する。
【０１１３】
ここで、制御回路１０９での次に選局すべき第１のデジタル放送物理チャンネル信号及び論理チャンネル信号を推定する方法については、前述した実施の形態２に係る受信装置２００における第２のデジタル放送信号の信号強度や受信品質や選局した放送チャンネルが存在しているかを表す第２の受信状況が、現在受信している両隣の地区のデジタル放送の第２のデジタル放送のチャンネル配置情報である第３の受信状況に置き換わったものなので、その説明を省略する。
【０１１４】
なお、本例の受信装置３００では、第２の多重分離回路３０２の出力信号である第３の受信状況は、第２のデジタル放送のチャンネル配置情報としたが、多重された符号化信号に含まれる地域情報や位置情報などを用いても良い。
【０１１５】
また、チャンネル配置記憶回路１０８は、チャンネル配置情報を予め記憶しておくことを想定しているが、第１のデジタル放送波や第２のデジタル放送波からチャンネル配置情報を入手して記憶することでも良い。
【０１１６】
このように、本例の受信装置３００においては、第２のデジタル放送受信部を用いることにより、第２のデジタル放送用復調回路２０４での第２の多重分離回路３０２から第２のデジタル放送のチャンネル配置情報を得ることができ、次に選局すべき第１のデジタル放送のチャンネルを推定することできる。
【０１１７】
従って、本例の受信装置３００においては、第２のデジタル放送のチャンネル配置情報や多重された符号化信号に含まれる地域情報や位置情報から、自動車等の移動体に搭載されて移動しながら受信し、受信すべき信号の送信局が切り換わったときにも、簡単に継続的に放送を視聴することができる。
【０１１８】
（実施の形態４）
次に、本発明の実施の形態４に係る受信装置について説明する。図９は、本発明の実施の形態４に係る受信装置の構成を示すブロック図である。
【０１１９】
図９に示すように、本例の受信装置４００は、主受信系統であるデジタル放送受信部４００Ａとして、デジタル放送用選局回路１０１、デジタル放送用復調回路１０２、多重分離回路１０３、情報源復号回路１０４を備えている。
【０１２０】
また、本例の受信装置４００は、副受信系統の第４例である無線通信部４００Ｂとして、例えば携帯電話またはＰＨＳ（Ｐｅｒｓｏｎａｌ  Ｈａｎｄｙ−ｐｈｏｎｅ  Ｓｙｓｔｅｍ）の基地局からの電波を受信するために無線通信用選局回路４０１及び無線通信用復調回路４０２を備えている。
【０１２１】
さらに、本例の受信装置４００は、デジタル放送用復調回路１０２からの第１の受信状況によりデジタル放送の受信状況を判定する受信状況判定回路１０７、チャンネル配置情報を記憶するチャンネル配置記憶回路１０８、デジタル放送用の選局と無線通信用の選局を行う制御回路１０９を備えている。
【０１２２】
図９において、デジタル放送受信部では、アンテナ１１０で受信した放送信号から、例えばユーザにより指定された物理チャンネル信号をデジタル放送用選局回路１０１が選局する。
【０１２３】
デジタル放送用復調回路１０２は、デジタル放送用選局回路１０１から出力されるデジタル放送物理チャンネル信号から多重データ信号を復調して出力する。そして、デジタル放送用復調回路１０２は、デジタル放送用選局回路１０１から出力される受信信号の信号強度や受信品質等の受信状況を示す第１の受信状況を出力する。
【０１２４】
多重分離回路１０３は、多重データ信号から論理チャンネル信号と配置情報信号とを分離する。
【０１２５】
情報源復号回路１０４は、多重分離回路１０３で分離された論理チャンネル信号から、この論理チャンネルに含まれた映像信号、音声信号及びデータ信号を復号する。
【０１２６】
無線通信部４００Ｂでは、アンテナ１１４で受信した信号から現在受信している放送信号を送信している地区の両隣の地区の物理チャンネル信号を無線通信用選局回路４０１が選局する。
【０１２７】
無線通信用復調回路４０２は、無線通信用選局回路４０１から出力される物理チャンネル信号から、この物理チャンネルに含まれた映像信号、音声信号及びデータ信号を復調することで、無線通信用選局回路４０１から出力される受信信号の信号強度や受信品質等の受信状況を示す第４の受信状況を出力する。
【０１２８】
また、受信状況判定回路１０７は、受信したデジタル放送信号の信号強度や受信品質等の受信状況を示す第１の受信状況により、デジタル放送の受信状況が良いか悪いかを判断し、受信している位置が送信アンテナから遠く受信サービスエリアの端であるかを判断する。
【０１２９】
ここで、受信装置４００がデジタル放送信号を受信している位置の判断は、ＡＧＣ回路の検出信号や受信レベル情報から受信したデジタル放送信号の信号強度が所定の閾値より大きいか小さいかで判断したり、復調時に算出されるＣＮ値や誤り率が所定の閾値より大きいか小さいかで判断したりする。
【０１３０】
無線通信用復調回路４０２の出力信号である第４の受信状況は、受信した無線通信信号の信号強度や受信品質から、無線通信用選局回路４０１で選局したチャンネルが存在しているか、または、信号強度や受信品質の時間変化をみることで、受信位置がどちらの方向に動いているかを判断するためのものである。
【０１３１】
チャンネル配置記憶回路１０８は、全国のチャンネル配置情報を予め記憶しており、多重分離回路１０３から出力されるチャンネル配置情報により現在受信している受信エリアを判定し、現在受信しているエリアとその周辺のエリアのチャンネル配置情報を出力する。
【０１３２】
制御回路１０９は、受信状況判定回路１０７の出力信号である受信している位置が送信アンテナから遠く受信サービスエリアの端であるかの判断結果を受け取る。
【０１３３】
また、制御回路１０９は、無線通信用復調回路４０２の出力信号である受信信号の信号強度や受信品質等の受信状況から無線通信用選局回路４０１で選局したチャンネルが存在しているかを判断する第４の受信状況を受け取る。
【０１３４】
さらに、制御装置１０９は、チャンネル配置記憶回路１０８からの現在受信しているエリアとその周辺のエリアのチャンネル配置情報を受け取る。
【０１３５】
そして、制御装置１０９は、受け取った各情報に基づいて、現在の位置情報の判定と、次に選局すべきデジタル放送物理チャンネル信号及び論理チャンネル信号と、次に選局すべき無線通信の物理チャンネル信号を推定して、デジタル放送用選局回路１０１と無線通信用選局回路４０１を制御する。
【０１３６】
ここで、制御回路１０９での次に選局すべきデジタル放送物理チャンネル信号及び論理チャンネル信号と、次に選局すべき無線通信の物理チャンネル信号を推定する方法については、前述した実施の形態１に係る受信装置１００におけるアナログ放送受信部が本例の受信装置４００における無線通信受信部に置き換わったものなので、その説明を省略する。
【０１３７】
なお、本例の受信装置４００では、無線通信部の受信状況を判断するのにＡＧＣ回路検出信号、受信レベル情報、復調時に算出されるＣＮ値や誤り状況を想定しているが、無線通信部の同期信号又はクロック再生や搬送波再生のロック状態などを用いても良い。
【０１３８】
また、チャンネル配置記憶回路１０８は、チャンネル配置情報を予め記憶しておくことを想定しているが、デジタル放送波や無線通信波からチャンネル配置情報を入手して記憶することでも良い。
【０１３９】
このように、本例の受信装置４００においては、無線通信部４００Ｂを用いることにより、無線通信用復調回路４０２での復調結果からなる第４の受信状況から、受信位置がどちらの方向に動いているか判断でき、次に選局すべきデジタル放送のチャンネルを推定することできる。
【０１４０】
従って、本例の受信装置４００においては、アナログ放送波が停波したときや、デジタル放送では受信位置の移動方向が判定できないときでも、自動車等の移動体に搭載されて移動しながら受信し、受信すべき信号の送信局が切り換わったときにも、継続的に放送を視聴することができる。
【０１４１】
（実施の形態５）
次に、本発明の実施の形態５に係る受信装置について説明する。図１０は、本発明の実施の形態５に係る受信装置の構成を示すブロック図である。
【０１４２】
図１０に示すように、本例の受信装置５００は、主受信系統である第１のデジタル放送受信部５００Ａとして、第１のデジタル放送用選局回路２０１、第１のデジタル放送用復調回路２０２、ダイバーシチ回路５０１、多重分離回路１０３、情報源復号回路１０４を備えている。
【０１４３】
また、本例の受信装置５００は、副受信系統である第２のデジタル放送受信部５００Ｂとして、第２のデジタル放送用選局回路２０３、第２のデジタル放送用復調回路２０４を備えている。
【０１４４】
さらに、本例の受信装置５００は、第１のデジタル放送用復調回路２０２からの第１の受信状況により第１のデジタル放送の受信環境を判定する受信状況判定回路１０７、チャンネル配置情報を記憶するチャンネル配置記憶回路１０８、第１のデジタル放送用の選局と第２のデジタル放送用の選局を行う制御回路１０９を備えている。
【０１４５】
図１０において、第１のデジタル放送受信部では、アンテナ１１２で受信した放送信号から、例えばユーザにより指定された物理チャンネル信号を第１のデジタル放送用選局回路２０１が選局する。
【０１４６】
第１のデジタル放送用復調回路２０２は、第１のデジタル放送用選局回路２０１から出力されるデジタル放送物理チャンネル信号から多重データ信号を復調して出力する。そして、第１のデジタル放送用復調回路２０２は、第１のデジタル放送用選局回路２０１から出力される受信信号の信号強度や受信品質等の受信状況を示す第１の受信状況を出力する。
【０１４７】
ダイバーシチ回路５０１は、２つの復調結果を用いてダイバーシチ処理を行う。
【０１４８】
多重分離回路１０３は、多重データ信号から論理チャンネル信号と配置情報信号とを分離する。
【０１４９】
情報源復号回路１０４は、多重分離回路１０３で分離された論理チャンネル信号から、この論理チャンネルに含まれた映像信号、音声信号及びデータ信号を復号する。
【０１５０】
第２のデジタル放送受信部では、アンテナ１１３で受信した放送信号から現在受信している放送信号を送信している地区の両隣の地区のデジタル放送の物理チャンネル信号を第２のデジタル放送用選局回路２０３で選局する。
【０１５１】
第２のデジタル放送用復調回路２０４は、第２のデジタル放送用選局回路２０３から出力されるデジタル放送物理チャンネル信号から、このデジタル放送物理チャンネルに含まれた映像信号、音声信号及びデータ信号を復調する。
【０１５２】
これにより、第２のデジタル放送用復調回路２０４は、第２のデジタル放送用選局回路２０３から出力される受信信号の信号強度や受信品質等の受信状況を示す第２の受信状況を出力するとともに、復調したデータをダイバーシチ回路５０１に出力する。
【０１５３】
受信状況判定回路１０７は、受信した第１のデジタル放送信号の信号強度や受信品質等の受信状況を示す第１の受信状況により、第１のデジタル放送の受信状況が良いか悪いかを判断し、受信している位置が送信アンテナから遠く受信サービスエリアの端であるかを判断する。
【０１５４】
ここで、受信装置５００が第１のデジタル放送信号を受信している位置の判断は、ＡＧＣ回路の検出信号や受信レベル情報から受信したデジタル放送信号の信号強度が所定の閾値より大きいか小さいかで判断したり、復調時に算出されるＣＮ値や誤り率が所定の閾値より大きいか小さいかで判断したりする。
【０１５５】
また、第２のデジタル放送用復調回路２０４の出力信号である第２の受信状況は、受信した第２のデジタル放送信号の信号強度や受信品質から、第２のデジタル放送用選局回路２０３で選局した放送チャンネルが存在しているかをみることで、受信位置がどちらの方向に動いているかを判断するためのものである。
【０１５６】
チャンネル配置記憶回路１０８は、チャンネル配置情報を予め記憶しており、多重分離回路１０３から出力されるチャンネル配置情報により現在受信している受信エリアを判定し、現在受信しているエリアとその周辺のエリアのチャンネル配置情報を出力する。
【０１５７】
制御回路１０９は、受信状況判定回路１０７の出力信号である受信している位置が送信アンテナから遠く受信サービスエリアの端であるかの判断結果を受け取る。
【０１５８】
また、制御回路１０９は、受信サービスエリアの端であるときにダイバーシチ処理を中止し、第２のデジタル放送受信部５００Ｂの第２のデジタル放送用選局回路２０３を周辺エリアのチャンネルに変更する。
【０１５９】
そして、制御回路１０９は、第２のデジタル放送用復調回路２０４の出力信号である受信信号の信号強度や受信品質等の受信状況から第２のデジタル放送用選局回路２０３で選局した放送チャンネルが存在しているかをみることで受信位置がどちらの方向に動いているかを判断する第２の受信状況を受け取る。
【０１６０】
また、制御回路１０９は、チャンネル配置記憶回路１０８からの現在受信しているエリアとその周辺のエリアのチャンネル配置情報を受け取る。
【０１６１】
そして、制御回路１０９は、受け取った各情報に基づいて、現在の位置情報の判定と、次に選局すべき第１のデジタル放送物理チャンネル信号及び論理チャンネル信号を推定して、第１のデジタル放送用選局回路２０１を制御する。
【０１６２】
ここで、制御回路１０９での次に選局すべき第１のデジタル放送物理チャンネル信号及び論理チャンネル信号と、次に選局すべき第２のデジタル放送物理チャンネル信号を推定する方法については、実施の形態２に係る受信装置２００と同じなので、その説明を省略する。
【０１６３】
なお、本例の受信装置５００においては、第２のデジタル放送の受信状況を判断するのにＡＧＣ回路検出信号、受信レベル情報、復調時に算出されるＣＮ値や誤り状況を想定しているが、デジタル放送信号の同期信号やクロック再生や搬送波再生のロック状態などを用いても良い。
【０１６４】
また、チャンネル配置記憶回路１０８は、全国のチャンネル配置情報を予め記憶しておくことを想定しているが、第１のデジタル放送波や第２のデジタル放送波から全国のチャンネル配置情報を入手して記憶することでも良い。
【０１６５】
さらに、ダイバーシチ回路５０１は、２つの復調データを用いてダイバーシチ処理を行うと想定したが、２つ以上の復調データを用いても良い。また、ダイバーシチ回路５０１は、ここでは復調データを用いているが、ＲＦ信号、ＩＦ信号などの復調データ以外のものを用いたダイバーシチ方式でも良い。
【０１６６】
このように、本例の受信装置５００においては、ダイバーシチ方式の第２のデジタル放送受信部５００Ｂを用いることにより、受信位置がどちらの方向に動いているか判断でき、次に選局すべき第１のデジタル放送のチャンネルを推定することできる。
【０１６７】
従って、本例の受信装置５００においては、自動車等の移動体に搭載されて移動しながら受信し、受信すべき信号の送信局が切り換わったときにも、継続的に放送を視聴することができる。
【０１６８】
上述のように、本発明の実施の形態に係る受信装置１００，２００，３００，４００，５００においては、ＧＰＳ用アンテナ装置及びＧＰＳ回路を用いずに位置情報を入手することができる。
【０１６９】
従って、本例の受信装置１００，２００，３００，４００，５００は、安価に構成することができる。
【０１７０】
また、本例の受信装置１００，２００，３００，４００，５００は、デジタル放送受信部やアナログ放送受信部と一緒にＧＰＳ回路が実装されないので、デジタル放送電波とアナログ放送電波が互いに干渉して受信性能が劣化してしまうことがなくなる。
【産業上の利用可能性】
【０１７１】
本発明に係る受信装置は、ＧＰＳ用アンテナ装置及びＧＰＳ回路を用いずに位置情報を入手することができ、安価でかつ干渉による受信性能の劣化がないので、自動車や電車などの移動体において、デジタル放送及びアナログ放送を受信するための無線通信用の受信部を備えた受信装置として有用である。
【図面の簡単な説明】
【０１７２】
【図１】本発明の実施の形態１に係る受信装置の構成を示すブロック図
【図２】本発明の実施の形態１に係る受信装置と複数の送信局との関連を模式的に示し受信エリアをまたいで移動する場合の説明図
【図３】本発明の実施の形態１に係る受信装置と複数の送信局との関連を模式的に示し受信エリア内を移動しながら移動する場合の説明図
【図４】本発明の実施の形態１に係る受信装置と複数の送信局のチャンネル配置情報を示す図
【図５】本発明の実施の形態１に係る受信装置の移動距離と複数の送信局のチャンネル情報との関係を示すグラフ
【図６】本発明の実施の形態１に係る受信装置の動作を示すフローチャート
【図７】本発明の実施の形態２に係る受信装置の構成を示すブロック図
【図８】本発明の実施の形態３に係る受信装置の構成を示すブロック図
【図９】本発明の実施の形態４に係る受信装置の構成を示すブロック図
【図１０】本発明の実施の形態５に係る受信装置の構成を示すブロック図
【符号の説明】
【０１７３】
１００，２００，３００，４００，５００  受信装置
１００Ａ，２００Ａ，３００Ａ，４００Ａ，５００Ａ  主受信系統
１０１  デジタル放送用選局回路
１０２  デジタル放送用復調回路
１０３  多重分離回路
１０４  情報源復号回路
１０５  アナログ放送用選局回路
１０６  アナログ放送用復調回路
１０７  受信状況判定回路
１０８  チャンネル配置記憶回路
１０９  制御回路
１１０，１１１，１１２，１１３，１１４  アンテナ
１００Ｂ，２００Ｂ，３００Ｂ，４００Ｂ，５００Ｂ  副受信系統
２０１  第１のデジタル放送用選局回路
２０２  第１のデジタル放送用復調回路
２０３  第２のデジタル放送用選局回路
２０４  第２のデジタル放送用復調回路
３０１  第１の多重分離回路
３０２  第２の多重分離回路
４０１  無線通信用選局回路
４０２  無線通信用復調回路
５０１  ダイバーシチ回路
【図１】
2008005231.tif 000003
【図２】
2008005231.tif 000004
【図３】
2008005231.tif 000005
【図４】
2008005231.tif 000006
【図５】
2008005231.tif 000007
【図６】
2008005231.tif 000008
【図７】
2008005231.tif 000009
【図８】
2008005231.tif 000010
【図９】
2008005231.tif 000011
【図１０】
2008005231.tif 000012